【手続補正書】
【提出日】平成22年3月9日(2010.3.9)
【手続補正１】
【補正対象書類名】特許請求の範囲
【補正対象項目名】全文
【補正方法】変更
【補正の内容】
【特許請求の範囲】
【請求項１】
（Ａ）ポリフェニレンエーテル粉体６０〜９８質量部と（Ｂ）スチレン系樹脂１〜２５質量部、（Ｃ）水添ブロック共重合体１〜２０質量部含有する樹脂組成物であって上記樹脂組成物を押出機を用いて溶融混練する際に、押出機のバレル全長を１００％としたときに、上流側から４５〜７５％を、未溶融混合ゾーンとして、未溶融混合ゾーンの後にバレル全長の５〜３０％を溶融混練ゾーンとして得られることを特徴とするポリフェニレンエーテル系樹脂組成物の製造方法。
【請求項２】
（Ａ）、（Ｂ）、（Ｃ）成分の合計１００質量部に対して、（Ｄ）リン酸エステル系化合物３〜３０質量部配合することを特徴とする請求項１記載のポリフェニレンエーテル系樹脂組成物の製造方法。
【請求項３】
（Ａ）ポリフェニレンエーテル粉体、（B）スチレン系樹脂、（Ｃ）水添ブロック共重合体を押出機の上流側にある第１原料供給口より供給後、（Ｄ）リン酸エステル系化合物を下流側の第２原料供給口より供給することを特徴とする請求項２記載のポリフェニレンエーテル系樹脂組成物の製造方法。
【請求項４】
（Ｄ）リン酸エステル系化合物を供給する第２原料供給口を未溶融混合ゾーンとすることを特徴とする請求項２または３記載のポリフェニレンエーテル系樹脂組成物の製造方法。
【請求項５】
未溶融混合ゾーンのバレル温度を押出機の上流側から０〜３５％を２００℃以下に設定することを特徴とする請求項１〜４のいずれか１項に記載のポリフェニレンエーテル系樹脂組成物の製造方法。
【請求項６】
押出機のスクリュー回転数を６００〜１５０ｒｐｍとすることを特徴とする請求項１〜５のいずれか１項記載のポリフェニレンエーテル系樹脂組成物の製造方法。
【請求項７】
ダイ出口から押出される樹脂組成物の温度を３００〜３８０℃とすることを特徴とする請求項１〜６のいずれか１項に記載のポリフェニレンエーテル系樹脂組成物の製造方法。
【請求項８】
（Ｂ）スチレン系樹脂がポリスチレンおよびゴム補強ポリスチレンからなり、ゴム補強ポリスチレンが５重量部以下であることを特徴とする請求項１〜７のいずれか１項に記載のポリフェニレンエーテル系樹脂組成物の製造方法。
【請求項９】
（Ｄ）リン酸エステル系化合物が、下記一般式（Ｉ）または式（II）で示される縮合燐酸エステル系化合物であることを特徴とする請求項２〜８のいずれか１項に記載のポリフェニレンエーテル系樹脂組成物の製造方法。
【化１】
2008274035.tif 000001
【化２】
2008274035.tif 000002
（一般式（Ｉ）、（ＩＩ）中、Ｑ１、Ｑ２、Ｑ３、Ｑ４は、各々置換基であって各々独立に炭素数１から６のアルキル基を表し、Ｒ１、Ｒ２は各々置換基であってメチル基を表し、Ｒ３、Ｒ４は各々独立に水素原子またはメチル基を表す。ｎは１以上の平均値を有し、ｎ１、ｎ２は各々独立に０から２の整数を示し、ｍ１、ｍ２、ｍ３、ｍ４は各々独立に０から３の整数を示す。）
【請求項１０】
（Ｃ）水添ブロック共重合体の数平均分子量が１５０，０００〜３５０，０００であることを特徴とする請求項１〜９のいずれか１項に記載のポリフェニレンエーテル系樹脂組成物の製造方法。
【請求項１１】
（Ａ）ポリフェニレンエーテル粉体（Ｂ）スチレン系樹脂（Ｃ）水添ブロック共重合体の合計１００質量部に対して、（Ｅ）ポリオレフィンを０．５〜５質量部含有することを特徴とする請求項１〜１０のいずれか１項に記載のポリフェニレンエーテル系樹脂組成物の製造方法。
【請求項１２】
１５０℃、２００時間エージング後のＩＺＯＤ保持率が６５％以上であることを特徴とする請求項１〜１１のいずれか１項に記載の製造方法から得られるポリフェニレンエーテル系樹脂組成物。
【請求項１３】
請求項１記載の製造方法より得られた樹脂組成物から成形されたテレビ内部部品の偏向ヨーク。
【手続補正２】
【補正対象書類名】明細書
【補正対象項目名】００１１
【補正方法】変更
【補正の内容】
【００１１】
即ち、本発明は、
［１］（Ａ）ポリフェニレンエーテル粉体６０〜９８質量部と（Ｂ）スチレン系樹脂１〜２５質量部、（Ｃ）水添ブロック共重合体１〜２０質量部含有する樹脂組成物であって上記樹脂組成物を押出機を用いて溶融混練する際に、押出機のバレル全長を１００％としたときに、上流側から４５〜７５％を、未溶融混合ゾーンとして、未溶融混合ゾーンの後にバレル全長の５〜３０％を溶融混練ゾーンとして得られることを特徴とするポリフェニレンエーテル系樹脂組成物の製造方法。
［２］（Ａ）、（Ｂ）、（Ｃ）成分の合計１００質量部に対して、（Ｄ）リン酸エステル系化合物３〜３０質量部配合することを特徴とする請求項１記載のポリフェニレンエーテル系樹脂組成物の製造方法。
［３］（Ａ）ポリフェニレンエーテル粉体、（B）スチレン系樹脂、（Ｃ）水添ブロック共重合体を押出機の上流側にある第１原料供給口より供給後、（Ｄ）リン酸エステル系化合物を下流側の第２原料供給口より供給することを特徴とする請求項２記載のポリフェニレンエーテル系樹脂組成物の製造方法。
［４］（Ｄ）リン酸エステル系化合物を供給する第２原料供給口を未溶融混合ゾーンとすることを特徴とする請求項２または３記載のポリフェニレンエーテル系樹脂組成物の製造方法。
［５］未溶融混合ゾーンのバレル温度を押出機の上流側から０〜３５％を２００℃以下に設定することを特徴とする請求項１〜４のいずれか１項に記載のポリフェニレンエーテル系樹脂組成物の製造方法。
［６］押出機のスクリュー回転数を６００〜１５０ｒｐｍとすることを特徴とする請求項１〜５のいずれか１項に記載のポリフェニレンエーテル系樹脂組成物の製造方法。
［７］ダイ出口から押出される樹脂組成物の温度を３００〜３８０℃とすることを特徴とする請求項１〜６のいずれか１項に記載のポリフェニレンエーテル系樹脂組成物の製造方法。
［８］（Ｂ）スチレン系樹脂がポリスチレンおよびゴム補強ポリスチレンからなり、ゴム補強ポリスチレンが５重量部以下であることを特徴とする請求項１〜７のいずれか１項に記載のポリフェニレンエーテル系樹脂組成物の製造方法。
［９］（Ｄ）リン酸エステル系化合物が、下記一般式（Ｉ）または式（II）で示される縮合燐酸エステル系化合物であることを特徴とする請求項２〜８のいずれか１項に記載のポリフェニレンエーテル系樹脂組成物の製造方法。
【手続補正３】
【補正対象書類名】明細書
【補正対象項目名】００１２
【補正方法】変更
【補正の内容】
【００１２】
【化１】
2008274035.tif 000003
【手続補正４】
【補正対象書類名】明細書
【補正対象項目名】００１３
【補正方法】変更
【補正の内容】
【００１３】
【化２】
2008274035.tif 000004
（一般式（Ｉ）、（ＩＩ）中、Ｑ１、Ｑ２、Ｑ３、Ｑ４は、各々置換基であって各々独立に炭素数１から６のアルキル基を表し、Ｒ１、Ｒ２は各々置換基であってメチル基を表し、Ｒ３、Ｒ４は各々独立に水素原子またはメチル基を表す。ｎは１以上の平均値を有し、ｎ１、ｎ２は各々独立に０から２の整数を示し、ｍ１、ｍ２、ｍ３、ｍ４は各々独立に０から３の整数を示す。）
［１０］（Ｃ）水添ブロック共重合体の数平均分子量が１５０，０００〜３５０，０００であることを特徴とする請求項１〜７のいずれか１項に記載のポリフェニレンエーテル系樹脂組成物の製造方法。
［１１］（Ａ）ポリフェニレンエーテル粉体（Ｂ）スチレン系樹脂（Ｃ）水添ブロック共重合体の合計１００重量部に対して、（Ｅ）ポリオレフィンを０．５〜５質量部含有することを特徴とする請求項１〜８のいずれか１項に記載のポリフェニレンエーテル系樹脂組成物の製造方法。
［１２］１５０℃、２００時間エージング後のＩＺＯＤ保持率が６５％以上であることを特徴とする請求項１〜９のいずれか１項に記載のポリフェニレンエーテル系樹脂組成物。
［１３］請求項１記載の製造方法より得られた樹脂組成物から成形されたテレビ内部部品の偏向ヨーク。